(57)【要約】【課題】  複数のシート状物品を一体的に書き込みでき、また、一体的に袋体に移動させることにより、作業効率を改善した無線タグ書込読取り装置を提供すること。  【解決手段】  複数個の区分棚２が設けられている書込み装置３が設けられ、これらの区分棚２には、複数枚の郵便物４等の物品を収納する収納箱５が、一つずつ出し入れ自在に挿入収納できるように構成されている。  また、仕切り板６によって仕切られた複数の仕切部７を有する郵袋８が設けられていて、この複数の仕切部７それぞれには、収納箱５が収納されるように、仕切部７の枠サイズが収納箱５のサイズとほぼ同一となっている。【選択図】図１
2006272057.tif 000002
【特許請求の範囲】
【請求項１】
無線タグが貼付された複数枚のシート状の物品が開口部から挿入され、外周面の一部に無線タグが貼付された物品収納箱と、この物品収納箱が挿入される複数の区分棚を有し、且つそれらの区分棚の内側に書込みアンテナが設けられている書込み装置と、前記物品収納箱が収納される複数の仕切り部が設けられた袋体と、この袋体に収納された前記物品収納箱に貼付された無線タグのデータを読み取る読取装置とを具備し、前記シート状の物品を前記物品収納箱に収納した状態で前記袋体に移動させることを特徴とする無線タグ付物品の読取り書込装置。
【請求項２】
前記書込み装置は、前記区分棚の内側に読取りアンテナを備え、この読取りアンテナにより前記区分棚から前記物品収納箱が抜き取られることを検知し、前記物品収納箱内に収納された物品に関するデータを前記物品収納箱外周面に貼付された無線タグに記録することを特徴とする請求項１記載の無線タグ付物品の読取り書込装置。
【請求項３】
無線タグが貼付された複数枚のシート状の物品が開口部から挿入され、外周面の一部に無線タグが貼付された物品収納箱が収納される複数の仕切り部と、この仕切り部に収納された前記物品収納箱に貼付された無線タグのデータを読み取る読取装置とを具備することを特徴とする袋体装置。
【発明の詳細な説明】
【技術分野】
【０００１】
本発明は、無線データーキャリア（ＲＦＩＤ）、すなわち、無線タグを貼付した物品の読取り書込装置に関し、特に、複数のシート状物品を収納する物品収納箱を用いたシート状物品の読取り書込装置に関するものである。
【背景技術】
【０００２】
従来、従来、書類および封筒など郵便物の配送管理や処理を行う際、それら郵便物に無線タグ（ＲＦＩＤタグ）を貼り付け、その無線タグに流通経路の位置情報等のデータを書き込み、これを読取りアンテナにより読み取ることにより、一度に多量の郵便物を処理することができる（特許文献１参照）。
【０００３】
この種の無線タグ書込読取り装置においては、例えば封書のような郵便物は個別的に書込読取りが行われ、また、搬送用の郵袋も郵便物を個別的に収納搬送するものであった。
【特許文献１】特開平１１−１７５６２１号公報
【発明の開示】
【発明が解決しようとする課題】
【０００４】
したがって、書込み装置で宛先区分情報などを無線タグに書き込んだ後、郵便物を区分地向け輸送用の郵袋に移す際には、１通毎、または、数通毎移し換える必要があり、一度に纏めて移動させることが出来なかったため、作業効率が悪く、さらには、郵便物の移し間違いによる混入や紛失の恐れがあるなど、作業および管理面での問題があった。
【０００５】
そこで、本発明の目的は、複数の郵便物のようなシート状物品を一体的に書き込みでき、また、一体的に袋体に移動させることにより、作業効率を改善した無線タグ書込読取り装置を提供することにある。
【課題を解決するための手段】
【０００６】
本発明の無線タグ書込読取り装置は、無線タグが貼付された複数枚のシート状の物品が開口部から挿入され、外周面の一部に無線タグが貼付された物品収納箱と、この物品収納箱が挿入される複数の区分棚を有し、且つそれらの区分棚の内側に書込みアンテナが設けられている書込み装置と、前記物品収納箱が収納される複数の仕切り部が設けられた袋体と、この袋体に収納された前記物品収納箱に貼付された無線タグのデータを読み取る読取装置とを具備し、前記シート状の物品を前記物品収納箱に収納した状態で前記袋体に移動させることを特徴とするものである。
【０００７】
また、本発明の無線タグ書込読取り装置においては、前記書込み装置は、前記区分棚の内側に読取りアンテナを備え、この読取りアンテナにより前記区分棚から前記物品収納箱が抜き取られることを検知し、前記物品収納箱内に収納された物品に関するデータを前記物品収納箱外周面に貼付された無線タグに記録することを特徴とするものである。
【０００８】
また、本発明の袋体装置は、無線タグが貼付された複数枚のシート状の物品が開口部から挿入され、外周面の一部に無線タグが貼付された物品収納箱が収納される複数の仕切り部と、この仕切り部に収納された前記物品収納箱に貼付された無線タグのデータを読み取る読取装置とを具備することを特徴とするものである。
【発明の効果】
【０００９】
本発明の無線タグ書込読取り装置によれば、物品収納箱から袋体への郵便物の移動が物品収納箱に収納された複数枚を１単位として行われるため、作業効率が大幅に向上し、さらに、物品の誤配達や紛失もなくなり、管理の信頼性をも向上させることができる。
【００１０】
また、本発明の袋体装置によれば、袋体に物品収納箱を収納する複数個の仕切り部を設けたことにより、収納箱内に収納された物品が袋体内の所定の位置に確保されるため、袋体装置に設置された読取りアンテナに対する無線タグの位置および角度が正確に保持される。この結果、無線タグからの情報の読取り誤りがなくなり、情報管理面での信頼性をも向上させることができる。
【発明を実施するための最良の形態】
【００１１】
以下、本発明の実施形態につき、図面を用いて詳細に説明する。以下の実施形態においては、無線タグが貼付される物品として、封筒のような郵便物を対象として説明するが、本発明はこれに限定されるものではなく、物品、特に、シート状の物品であればどのようなものでも適用可能である。
【００１２】
図１は、本発明による郵便物収納箱を用いた無線タグ書込み読取り装置の全体構成を示す斜視図で、載置台１上には、６個の区分棚２が設けられている書込み装置３が載置されていて、この区分棚２には、複数枚の郵便物４を収納する、例えば、ポリカーボネート製の郵便物収納箱５が、一つずつ出し入れ自在に挿入収納できるように構成されている。
【００１３】
また、仕切り板６によって仕切られた複数の仕切部７を有する郵袋８が設けられていて、この複数の仕切部７それぞれには、郵便物収納箱５が収納されるように、仕切部７の枠サイズが郵便物収納箱５のサイズとほぼ同一となっている。
【００１４】
そして、この郵袋８は読取りアンテナ（不図示）等が内部に収納された読取装置９上に設置されると、後述するように、郵便物収納箱５に貼付された無線タグに書き込まれた郵便物輸送管理に必要な内容情報が読み取られる構成になっている。
【００１５】
図２は、図１に示した書込み装置に設けられた区分棚の一個に郵便物収納箱５が収納された状態を示す側断面図で、図１に示した書込み装置３の区分棚２の上面部１０には読取アンテナ１１が、また、郵便物収納箱５の端部１２には書込みアンテナ１３がそれぞれ設置されている。
【００１６】
また、区分棚上面部１０の内側には、電波吸収材１４が貼付されており、他の区分棚２から発する電波を吸収し、書込み誤りおよび読取り誤りなどを防止できる構成になっている。また、郵便物収納箱５に収納されている郵便物４の各先端部１５には無線タグ１６が貼付されている。
【００１７】
図３は、図１および図２に示される郵便物収納箱５と郵便物の一例を示す斜視図で、郵便物収納箱５の外周面１７端部には無線タグ１８が、また、他端の開口部１９から挿入収納される郵便物４にはその先端部に無線タグ１６が、それぞれ貼付されている。この無線タグ１８には、各郵便物収納箱５内に収納されている郵便物４の配送先区分地情報や総通数あるいは郵便物受付時に測定した重量などの内容情報が書き込まれる。また、無線タグ１６には、郵便物の宛先区分情報等が書き込まれるようになっている。
【００１８】
なお、上記した図２乃至図３において、図１と同一構成部分にはそれぞれ同一符号を付して示し、その詳細な説明は省略する。
【００１９】
このように構成された無線タグ書込み読取り装置の動作を説明する。先ず、書込み装置３の区分棚２に郵便物４が収納された郵便物収納箱５を挿入し、郵便物４に貼付された無線タグ１６にその宛先区分情報等を書き込む。次いで、郵便物収納箱５を書込み装置３から取り出すために引き出すと、その動きを書込み装置３に設置されたアンテナ１１が検知し、書込み装置３は、郵便物収納箱５の無線タグ１８に配送先の区分地情報等を書き込む。
【００２０】
そして、この区分地情報等の書き込みが終了したら、郵便物収納箱５を郵便物４を入れたままの状態で区分棚２から抜き取って、そのまま郵袋８に移し換え、複数の仕切部７の一つに郵便物収納箱５が収納される。このような操作を書込み装置３に挿入された全ての郵便物収納箱５について行う。
【００２１】
そして、全ての郵便物収納箱５が郵袋８の複数の仕切部７のそれぞれに収納された後、郵袋８は読取装置９上に載置される。読取装置９は各郵便物収納箱５およびその内部に収納された郵便物の無線タグ１６、１８に書き込まれた情報を読み取り、その情報によって輸送車の手配や配分、および郵便物の記録管理などが行われる。
【００２２】
この場合、郵袋８の郵袋仕切部７のサイズは、郵便物収納箱５のサイズとほぼ同一サイズになっているので、郵便物４に貼付されている無線タグ１６の位置および角度が読取り装置のアンテナ（図示せず。）に対して正確に保持され、それによって、無線タグ１６からの情報の読取り誤りをなくすことができ、情報管理面での信頼性向上を図ることができる。
【００２３】
また、郵便物収納箱５から郵袋８への郵便物４の移動作業が、一枚乃至数枚単位ではなく、郵便物収納箱５単位であるため、郵袋８への郵便物４の移し換え作業の効率を極めて向上させることができる。
【００２４】
なお、上記した書込み装置の区分棚および郵袋仕切り部の数は、本発明を限定するものではない。
【図面の簡単な説明】
【００２５】
【図１】本発明の実施形態である無線タグ付郵便物の読取り書込み装置の全体構成を示す斜視図である。
【図２】図１に示される書込み装置に設けられた区分棚の一個に郵便物収納箱が収納された状態を示した側断面図である。
【図３】図１および図２に示される郵便物収納箱と郵便物の一例を示す斜視図である。
【符号の説明】
【００２６】
１    載置台
２    区分棚
３    書込み装置
４    郵便物
５    郵便物収納箱
６    仕切り板
７    郵袋仕切り部
８    郵袋
９    読取装置
１０    書込み装置区分棚
１１    読取アンテナ
１２    区分棚の奥側
１３    書込みアンテナ
【図１】
2006272057.tif 000003
【図２】
2006272057.tif 000004
【図３】
2006272057.tif 000005